(57)【特許請求の範囲】
【請求項１】
シャーシと、
当該シャーシの後部に設けられ、左右方向に延びるハンマーレールと、
前記シャーシに左右方向に並ぶように設けられた回動自在の複数の鍵盤と、
前記鍵盤に当接するキャプスタンを有し、前記複数の鍵盤ごとに設けられ、前記ハンマーレールに回動自在に支持されるとともに、対応する前記鍵盤の押鍵に伴って前記キャプスタンを介して駆動されることによって回動する複数のハンマーと、
前記複数の鍵盤の各々に設けられ、前記キャプスタンの前記鍵盤との当接部を少なくとも覆うようにハンマー側に向かって延びる左右一対のガイド部を有するキャプスタンガイドと、
を備えていることを特徴とする電子鍵盤楽器の鍵盤装置。
【発明の詳細な説明】
【０００１】
【発明の属する技術分野】
本発明は、鍵盤および鍵盤の押鍵に伴い回動するハンマーを備えた電子ピアノなどの電子鍵盤楽器の鍵盤装置に関する。
【０００２】
【従来の技術】
図４は、従来の電子ピアノの鍵盤装置の一例を離鍵状態において示している。この鍵盤装置３０は、シャーシ２と、シャーシ２に左右方向に並んだ状態で取り付けられた多数の鍵盤３と、各鍵盤３の押鍵に伴って回動する多数のハンマー４（各１つのみ図示）などを備えている。シャーシ２は、プレスにより打抜きおよび折曲げ加工した鉄板などで構成されており、棚板（図示せず）に水平に固定されている。各鍵盤３は、その前後方向（同図の左右方向）の中央部において、シャーシ２に左右方向（同図の奥行き方向）に並んで立設されたバランスピン５（１つのみ図示）に、回動自在に支持されている。
【０００３】
ハンマー４は、鍵盤３ごとに設けられ、棒状の合成樹脂製のハンマー本体４ａと、その両側面の前部に取り付けたおもり板４ｂ（１つのみ図示）と、後端部に形成され、後方に開放する円弧状の軸孔４ｃなどを備えている。このハンマー４は、軸孔４ｃを後述するハンマーレール２１の支持軸部２１ｃに係合させることによって回動自在に支持されるとともに、対応する鍵盤３の後端部にキャプスタン８を介して載置されている。
【０００４】
ハンマーレール２１は、例えばアルミニウムの中空の１つの押出し成形品で構成されている。このハンマーレール２１は、すべてのハンマー４にわたるよう左右方向に延びていて、シャーシ２に連結され、支点軸部２１ｃなどを一体に有している。
【０００５】
また、この支点軸部２１ｃには、複数の仕切り板２１ｅが、例えば１オクターブごとに取り付けられており、この仕切り板２１ｅ間に収容されたハンマー４が、仕切り板２１ｅを越えて左右方向に移動しないようにしている。また、図５に示すように、各ハンマー４の支点軸部２１ｃに係合している部分の幅は、隣接するハンマー４と接触しない程度に最大化され、各ハンマー４、４間の隙間が可能な限り小さくなるように設定されている。以上の構成により、ハンマー４の左右方向の移動（ずれ）によってキャプスタン８が隣接する鍵盤３の上面に乗り上げてしまうのを防止するとともに、ハンマー４の円滑な回動を確保するようにしている。
【０００６】
【発明が解決しようとする課題】
しかし、上述した従来の鍵盤装置３０では、前述したハンマー４の左右方向のずれを防止するとともに、その回動を確保するために、ハンマー４の寸法および組立てに高い精度が要求される。このため、そのような高い精度が達成されないと、ハンマー４が左右方向にずれるおそれがあり、その場合には、前述したように、ハンマー４のキャプスタン８が対応する鍵盤３だけでなく、隣接する鍵盤３の上面にも乗り上げてしまう。そして、この状態で鍵盤３を押鍵すると、押鍵した鍵盤３のハンマー４だけでなく、隣接する鍵盤３のハンマー４まで動かしてしまうことになる。また、この状態を解消するための各ハンマー４の位置調整に多くの時間が必要になる。
【０００７】
本発明は、このような課題を解決するためになされたものであり、ハンマーの寸法および組立てに高い精度を必要とすることなく、ハンマーの位置ずれを防止することができるとともに、取付け後の位置調整が不要な電子鍵盤楽器の鍵盤装置を提供することを目的とする。
【０００８】
【課題を解決するための手段】
この目的を達成するために、請求項１に係る発明は、シャーシと、シャーシの後部に設けられ、左右方向に延びるハンマーレールと、シャーシに左右方向に並ぶように設けられた回動自在の複数の鍵盤と、鍵盤に当接するキャプスタンを有し、複数の鍵盤ごとに設けられ、ハンマーレールに回動自在に支持されるとともに、対応する鍵盤の押鍵に伴ってキャプスタンを介して駆動されることによって回動する複数のハンマーと、複数の鍵盤の各々に設けられ、キャプスタンの鍵盤との当接部を少なくとも覆うようにハンマー側に向かって延びる左右一対のガイド部を有するキャプスタンガイドと、を備えていることを特徴とする。
【０００９】
この電子鍵盤楽器の鍵盤装置によれば、各鍵盤にはキャプスタンガイドが設けられており、このキャプスタンガイドは、ハンマーに設けられたキャプスタンの鍵盤との当接部を左右両側から覆うガイド部を有している。それにより、ハンマーが左右方向にずれようとしても、このガイド部にハンマーのキャプスタンが当接することによって、その移動が制限される。したがって、ハンマーは、左右方向に大きくずれることなく対応する鍵盤の上方の位置に保持され、キャプスタンが隣接する鍵盤の上面に乗り上げてしまうのを防止することができ、ハンマーレールの支点軸部に設けられていた従来の仕切り板が不要になる。また、ハンマーの寸法および組立てに高い精度を必要としないので、その作製および組立てが容易になり、不良品の発生を防止することができる。さらに、ハンマーの位置が鍵盤の上方に確実に保持されることにより、ハンマーの取付け後の位置調整も不要になる。
【００１０】
【発明の実施の形態】
以下、本発明を適用した実施形態を、図面を参照しながら詳細に説明する。図１は、本発明の一実施形態による電子ピアノの鍵盤装置を示している。なお、この鍵盤装置１の基本的な構成は、すでに説明した図４の従来の鍵盤装置３０と同じであるので、図１以降の図面では、従来と同様の構成要素については同一の参照番号を付している。
【００１１】
同図に示すように、この鍵盤装置１は、シャーシ２と、シャーシ２に左右方向に並んだ状態で取り付けられた多数の鍵盤３と、各鍵盤３の押鍵に伴って回動する多数のハンマー４（各１つのみ図示）などを備えている。
【００１２】
シャーシ２は、プレスにより打抜きおよび折曲げ加工した鉄板などを井桁状に組み立てたものであり、棚板（図示せず）に水平に固定されている。シャーシ２の前後方向の中央部には、多数のバランスピン５が左右方向に並んで立設されており（１つのみ図示）、各鍵盤３は、その中央部において、バランスピン５に回動自在に支持されている。
【００１３】
鍵盤３は、白鍵３ａと黒鍵３ｂから成り、それぞれが断面矩形の木製の鍵盤本体３ｃと、その上面前部に接着された合成樹脂製の鍵盤カバー３ｄで構成されている。鍵盤本体３ｃの中央部にはバランスピン孔３ｅが形成されている。鍵盤３は、このバランスピン孔３ｅを介して、バランスピン５に回動自在に支持されている。
【００１４】
各鍵盤３の後端部には、キャプスタンガイド６が取り付けられている。このキャプスタンガイド６は、図２に示すようにＨ型の断面を有し、例えばプラスチックで構成されており、左右一対のガイド部６ａ、６ａ、およびこれらを連結する連結部６ｂを有している。このキャプスタンガイド６の下半部は、鍵盤本体３ｃに嵌合し、連結部６ｂの裏面が鍵盤３の上面に、例えば両面テープや接着剤などによって取り付けられている。
【００１５】
この連結部６ｂの上面には、摺動テープ７が貼り付けられている。この摺動テープ７は２層構造になっており、上層部７ａは例えばポリエチレンで、下層部７ｂは例えば発泡ウレタンでそれぞれ構成されている。また、この摺動テープ７の上面には、後述するハンマー４のキャプスタン８が当接しており、この摺動テープ７は、鍵盤３の押鍵時におけるキャプスタン８との摩擦を低減させる役割を果たす。
【００１６】
ハンマー４は、鍵盤３ごとに設けられ、棒状の合成樹脂製のハンマー本体４ａと、その両側面の前部に取り付けられたおもり板４ｂ（１つのみ図示）を備えている。ハンマー本体４ａの後端部には、後方に開放する円弧状の軸孔４ｃが形成されており、ハンマー４は、この軸孔４ｃが後述するハンマーレール２１の支点軸部２１ｃに係合することによって、ハンマーレール２１に回動自在に支持されている（図３参照）。また、図５との比較から明らかなように、ハンマー４は従来のものと比較し、支点軸部２１ｃとの係合部４ｅの幅が、より小さく形成されており、各係合部４ｅ、４ｅの間にはより大きな間隙が存在している。また、ハンマー本体４ａの下面の軸孔４ｃ付近には、キャプスタン８が下方に突出するように取り付けられている。キャプスタン８は、ハンマー本体４ａの下面にねじ込まれ、下方に延びる軸部８ａと、その先端部の、ほぼ半球状の頭部（当接部）８ｂで構成されており、この頭部８ｂが摺動テープ７に接している。すなわち、ハンマー４は、順にキャプスタン８、摺動テープ７、およびキャプスタンガイド６の連結部６ｂを介して、対応する鍵盤３の上面後端部に載置されている。また、キャプスタン８の頭部８ｂとそれに連なる軸部８ａの一部は、キャプスタンガイド６のガイド部６ａ、６ａによって覆われた状態にある。
【００１７】
ハンマーレール２１は、中空のアルミニウムの１つの押出し成形品で構成され、すべてのハンマー４にわたるよう左右方向に延びていて、シャーシ２に連結されるとともに、棚板に固定されている。また、このハンマーレール２１は、上下方向に延びるハンマー支持部２１ａと、その上端から前側上方に斜めに延びるストッパ取付け部２１ｂと、ハンマー支持部２１ａの上部から前方に突出する前述した支点軸部２１ｃなどを一体に有している。
【００１８】
ストッパ取付け部２１ｂの先端部には、ハンマー４の上方への回動を規制するためのストッパ９が設けられている。このストッパ９もすべてのハンマー４にわたるよう左右方向に延びており、発泡ウレタンなどで構成されている。さらに、ハンマー４の上方には、各鍵盤３の押鍵情報を検出するための鍵スイッチ１０が設けられている。鍵スイッチ１０は、プリント基板１１と、このプリント基板１１に、鍵盤３ごとに取り付けられたゴムスイッチから成るスイッチ本体１２で構成されている。また、鍵スイッチ１０は、プリント基板１１の後端部をストッパ取付け部２１ｂの基端部に形成された係合凹部２１ｄ（鍵スイッチ取付け部）に差し込んだ状態で、ストッパ取付け部２１ｂに取り付けられている。
【００１９】
以上の構成の鍵盤装置１によれば、鍵盤３が押鍵されるのに伴い、ハンマー４が、鍵盤３の後端部でキャプスタン８を介して駆動されることにより、上方に回動し、ストッパ９に当接することによって、ハンマー４の上方への回動が規制されるとともに、アコースティックピアノに近似したタッチ感が付与される。また、回動したハンマー４で鍵スイッチ１０のスイッチ本体１２が押圧されることによって、鍵盤３の押鍵の有無および押鍵速度が、押鍵情報として検出される。
【００２０】
また、押鍵の際の衝撃などにより、ハンマー４が左右方向に動こうとしても、ハンマー４のキャプスタン８は、その左右のキャプスタンガイド６のガイド部６ａ、６ａのいずれかに当接することにより、ハンマー４のそれ以上の移動が阻止される。すなわち、ハンマー４は、対応する鍵盤３の上方に保持され、隣接する鍵盤３に乗り上げるおそれがない。
【００２１】
以上のように、本実施形態の鍵盤装置１によれば、各鍵盤３に設けられたキャプスタンガイド６の左右一対のガイド部６ａ、６ａによって、キャプスタン８の左右方向の移動が制限されるため、ハンマー４を、対応する鍵盤３の上方に保持することができる。それにより、キャプスタン８が隣接する鍵盤３の上面に乗り上げてしまうのを防止することができ、ハンマーレール２１の支点軸部２１ｃに設けられていた従来の仕切り板が不要になる。また、ハンマー４の寸法および組立てに高い精度を必要としないので、その作製および組立てが容易になり、不良品の発生を防止することができる。さらに、ハンマー４の位置が鍵盤３の上方に確実に保持されることにより、ハンマー４の取付け後の位置調整も不要になる。また、隣接するハンマー４、４の、支点軸部２１ｃとの係合部４ｅ、４ｅ間には、比較的大きな間隙が存在していることにより、ハンマー４、４は、互いに接触することがないため、余裕をもって円滑に回動することができる。
【００２２】
なお、本実施形態においては、鍵盤がその中央部を中心として回動し、後端部の上方にハンマーを備えるタイプの鍵盤装置に関して説明したが、本発明は、これに限定されることなく、その他のタイプの鍵盤装置、例えば鍵盤の後端部を中心として回動し、下方にハンマーを備える鍵盤装置に対しても適用することができる。
【００２３】
【発明の効果】
以上のように、本発明の電子鍵盤楽器の鍵盤装置は、ハンマーの寸法および組立てに高い精度を必要とすることなく、ハンマーの位置ずれを防止することができるとともに、取付け後の位置調整が不要となる、などの効果を有する。
【図面の簡単な説明】
【図１】本発明の一実施形態による電子ピアノの鍵盤装置を示す側面図である。
【図２】鍵盤の背面図である。
【図３】ハンマーが支持軸部に係合している状態を示す部分平面図である。
【図４】従来の電子ピアノの鍵盤装置を示す側面図である。
【図５】従来のハンマーが支持軸部に係合している状態を示す部分平面図である。
【符号の説明】
１      鍵盤装置
２      シャーシ
３      鍵盤
４      ハンマー
６      キャプスタンガイド
６ａ    ガイド部
８      キャプスタン
２１      ハンマーレール
【図１】
0003887266.tif 000002
【図２】
0003887266.tif 000003
【図３】
0003887266.tif 000004
【図４】
0003887266.tif 000005
【図５】
0003887266.tif 000006